(57)【特許請求の範囲】
【請求項１】
ケーシングを把持するケーシング把持具であって、
略円弧状の第１アームと、
略円弧状の第２アームと、
前記第１アームにおける略円弧の中心を向く側に設けられた第１アーム側把持部と、
前記第２アームにおける略円弧の中心を向く側に設けられた第２アーム側把持部と、を備え、
前記第１アーム側把持部の中心側の第１端部、及び前記第２アーム側把持部の中心側の第２端部はそれぞれ略円弧形状を有し、
前記第１端部、及び前記第２端部を対向させて既設杭の直径より大きく前記ケーシングよりわずかに小さい直径を有する略円形状を形成することで、既設杭を内包した断面略円形状のケーシングを把持する把持状態と、前記第１端部、及び前記第２端部が対向せず略円形状を形成しない非把持状態と、を選択可能なことを特徴とするケーシング把持具。
【請求項２】
前記第１アームの一方の端部と、前記第２アームの一方の端部を軸支する可動軸と、
前記可動軸を支点にして前記第１アームの他方の端部が前記第２アームの他方の端部に接近する閉鎖状態と、離間する開放状態と、に前記第１アームを移動させる油圧シリンダと、を備え、
前記油圧シリンダを伸長させて前記閉鎖状態とすることにより前記把持状態を選択し、前記油圧シリンダを圧縮させて前記開放状態とすることにより前記非把持状態を選択することを特徴とする請求項１に記載のケーシング把持具。
【請求項３】
地中に埋設された既設杭を引抜く杭抜き工法であって、
略円弧状の第１アームと、略円弧状の第２アームと、前記第１アームにおける略円弧の中心を向く側に設けられた第１アーム側把持部と、前記第２アームにおける略円弧の中心を向く側に設けられた第２アーム側把持部と、を備え、前記第１アーム側把持部の中心側の第１端部、及び前記第２アーム側把持部の中心側の第２端部は略円弧形状を有し、前記第１端部、及び前記第２端部を対向させて略円形状を形成することで、断面略円形状のケーシングを把持する把持状態と、前記第１端部、及び前記第２端部が対向せず略円形状を形成しない非把持状態と、を選択可能なことを特徴とするケーシング把持具を準備するケーシング把持具準備工程と、
複数の分割ケーシングを継合し、かつ最下端に掘削刃を有するとともに、杭チャッキング機構を有した円筒状のケーシングを前記既設杭の周囲に位置するように前記ケーシングを地中に埋め込むケーシング埋込み工程と、
前記チャッキング機構で既設杭の地中の先端部を把持して前記ケーシングを途中まで引抜くケーシング引抜き第１工程と、
前記ケーシング把持具の前記第１アーム及び前記第２アームについて前記非把持状態を選択し地上に露出した前記ケーシングを挟むように配置した後、前記第１アーム及び前記第２アームについて前記把持状態を選択して前記第１アーム側把持部及び前記第２アーム側把持部により前記ケーシングを把持して落下を防止するケーシング落下防止工程と、
前記ケーシング把持具が把持した部分より上部の前記分割ケーシングを分離する分割ケーシング分離工程と、
露出した既設杭を撤去する既設杭撤去工程と、を実行することを特徴とする杭抜き工法。
【請求項４】
前記既設杭引抜き工程の後、
前記ケーシング把持具について前記非把持状態を選択するケーシング把持具非把持工程と、
残りの前記ケーシングを引抜くケーシング引抜き第２工程を実行することを特徴とする請求項３に記載の杭抜き工法。
【請求項５】
既設杭及び前記ケーシングが長い場合に、
前記ケーシング引抜き第１工程、前記ケーシング落下防止工程、前記分割ケーシング分離工程、前記既設杭撤去工程、前記ケーシング把持具非把持工程、及び前記ケーシング引抜き第２工程を再度実行することを特徴とする請求項４に記載の杭抜き工法。
【発明の詳細な説明】
【技術分野】
【０００１】
本発明は、建築構造物の建替え等のときに、地中に埋設されている杭を引抜くためのケーシング把持具、及び杭抜き工法に関するものである。
【背景技術】
【０００２】
ビルやマンション等の建築構造物は、その荷重支持のために地中に既設杭が埋設されている。これらの建築構造物を建替える場合は、埋め込まれている既設杭を引抜く必要がある。
【０００３】
特許文献１には、既設杭と同心にケーシングを埋め込んだ後、ケーシングを引抜き、その後、既設杭にロープを掛けて引抜く工法が記載されている。
【先行技術文献】
【特許文献】
【０００４】
特許文献１：特開２０１１−０２６９３６号公報
【発明の概要】
【発明が解決しようとする課題】
【０００５】
しかしながら、特許文献１に記載のものは、既設杭が地中で折れている場合に、残りの既設杭を引抜くことが困難であるという問題があった。また、既設杭が折れてケーシングに絡み合っていると、ケーシングを引抜く際に、クレーンにオーバーロードがかかり転倒する恐れがあるという問題があった。
【０００６】
本発明は、上記問題点を解決して、既設杭を安全に、かつ確実に引抜くことを課題とする。
【課題を解決するための手段】
【０００７】
上記課題を解決するために本発明は、ケーシングを把持するケーシング把持具であって、
略円弧状の第１アームと、
略円弧状の第２アームと、
前記第１アームにおける略円弧の中心を向く側に設けられた第１アーム側把持部と、
前記第２アームにおける略円弧の中心を向く側に設けられた第２アーム側把持部と、を備え、
前記第１アーム側把持部の中心側の第１端部、及び前記第２アーム側把持部の中心側の第２端部はそれぞれ略半円弧形状を有し、
前記第１端部、及び前記第２端部を対向させて既設杭の直径より大きく前記ケーシングよりわずかに小さい直径を有する略円形状を形成することで、断面略円形状のケーシングを把持する把持状態と、前記第１端部、及び前記第２端部が対向せず略円形状を形成しない非把持状態と、を選択可能なことを特徴とするケーシング把持具を提供するものである。
【０００８】
この構成のケーシング把持具を用いることで、既設杭を安全に、かつ確実に引抜くことができる。
【０００９】
ケーシング把持具であって、前記第１アームの一方の端部と、前記第２アームの一方の端部を軸支する可動軸と、
前記可動軸を支点にして前記第１アームの他方の端部が前記第２アームの他方の端部に接近する閉鎖状態と、離間する開放状態と、に前記第１アームを移動させる油圧シリンダと、を備え、
前記油圧シリンダを伸長させて前記閉鎖状態とすることにより前記把持状態を選択し、前記油圧シリンダを圧縮させて前記開放状態とすることにより前記非把持状態を選択する構成としてもよい。
【００１０】
この構成のケーシング把持具を用いることで、既設杭を安全に、かつ確実に引抜くことができる。
【００１１】
また、上記課題を解決するために本発明は、地中に埋設された既設杭を引抜く杭抜き工法であって、
略円弧状の第１アームと、略円弧状の第２アームと、前記第１アームにおける略円弧の中心を向く側に設けられた第１アーム側把持部と、前記第２アームにおける略円弧の中心を向く側に設けられた第２アーム側把持部と、を備え、前記第１アーム側把持部の中心側の第１端部、及び前記第２アーム側把持部の中心側の第２端部は略円弧形状を有し、前記第１端部、及び前記第２端部を対向させて略円形状を形成することで、断面略円形状のケーシングを把持する把持状態と、前記第１端部、及び前記第２端部が対向せず略円形状を形成しない非把持状態と、を選択可能なことを特徴とするケーシング把持具を準備するケーシング把持具準備工程と、
複数の分割ケーシングを継合し、かつ最下端に掘削刃を有するとともに、杭チャッキング機構を有した円筒状のケーシングを前記既設杭の周囲に位置するように前記ケーシングを地中に埋め込むケーシング埋込み工程と、
前記チャッキング機構で既設杭の地中の先端部を把持して前記ケーシングを途中まで引抜くケーシング引抜き第１工程と、
前記ケーシング把持具の前記第１アーム及び前記第２アームについて前記非把持状態を選択し地上に露出した前記ケーシングを挟むように配置した後、前記第１アーム及び前記第２アームについて前記把持状態を選択して前記第１アーム側把持部及び前記第２アーム側把持部により前記ケーシングを把持して落下を防止するケーシング落下防止工程と、
前記ケーシング把持具が把持した部分より上部の前記分割ケーシングを分離する分割ケーシング分離工程と、
露出した既設杭を撤去する既設杭撤去工程と、を実行することを特徴とする杭抜き工法を提供するものである。
【００１２】
この構成により、既設杭を安全に、かつ確実に引抜くことができる。
【００１３】
杭引抜き工法であって、前記既設杭引抜き工程の後、
前記ケーシング把持具について前記非把持状態を選択するケーシング把持具非把持工程と、
残りの前記ケーシングを引抜くケーシング引抜き第２工程を実行する構成としてもよい。
【００１４】
この構成により、残りの既設杭を、安全に、かつ確実に引抜くことができる。
【００１５】
杭引抜き工法であって、既設杭及び前記ケーシングが長い場合に、
前記ケーシング引抜き第１工程、前記ケーシング落下防止工程、前記分割ケーシング分離工程、前記既設杭撤去工程、前記ケーシング把持具非把持工程、及び前記ケーシング引抜き第２工程を再度実行する構成としてもよい。
【００１６】
この構成により、長い既設杭であっても、安全に、かつ確実に引抜くことができる。
【発明の効果】
【００１７】
本発明のケーシング把持具、及び杭抜き工法により、既設杭を安全に、かつ確実に引抜くことができる。
【図面の簡単な説明】
【００１８】
【図１】本発明の実施例１におけるケーシング把持具を説明する図である。
【図２】本発明の実施例１における杭抜き機を説明する図である。
【図３】本発明の実施例１における杭抜き工法を説明する第１の図である。
【図４】本発明の実施例１における杭抜き工法を説明する第２の図である。
【図５】本発明の実施例１における杭抜き工法を説明する第３の図である。
【図６】本発明の実施例１における杭抜き工法を説明する第４の図である。
【図７】本発明の実施例１における杭抜き工法を説明する第５の図である。
【発明を実施するための形態】
【実施例１】
【００１９】
（ケーシング把持具）
本発明の実施例１におけるケーシング把持具について、図１を参照して説明する。図１は、本発明の実施例１におけるケーシング把持具を説明する図である。
【００２０】
実施例１におけるケーシング把持具１０は、地中に埋め込んで途中まで引き上げた際に、落下しないようにケーシングを把持するものである。図１（ａ）におけるケーシング把持具１０は非把持状態にあり、図１（ｂ）におけるケーシング把持具１０は把持状態にある。
【００２１】
ケーシング把持具１０は、略円弧状の第１アーム１と、略円弧状の第２アーム２と、第１アーム１と第２アーム２とを把持状態又は非把持状態に選択可能とする油圧シリンダ８を備えている。つまり、第１アームの一方の端部と第２アームの一方の端部を軸支する可動軸７近傍の第２アーム２と第１アーム１の他方の端部近傍との間に油圧シリンダ８を配置しており、油圧シリンダ８を伸長させて第１アーム１を第２アームに接近させて閉鎖状態とすることにより把持状態を選択し、油圧シリンダ８を圧縮させて第１アーム１を第２アーム２から離間させて開放状態とすることにより非把持状態を選択することができる。
【００２２】
第１アーム１における略円弧の中心を向く側に第１アーム側把持部３を設け、第２アーム２における略円弧の中心を向く側に第２アーム側把持部５を設けている。また、第１アーム側把持部３の中心側の第１端部４、及び第２アーム側把持部５の中心側の第２端部６は略円弧形状を有している。そして、油圧シリンダ８を伸長させて第１アーム１を第２アームに接近させて閉鎖状態とすることで第１端部４及び第２端部６が対向し略円形状を形成することができる。そうすると、第１端部４及び第２端部６により、断面略円形状のケーシングを把持する把持状態とすることができる。また、油圧シリンダ８を圧縮させて第１アーム１を第２アーム２から離間させて開放状態とすることで、第１端部４、及び第２端部６が対向せず略円形状を形成しないで、ケーシング非把持状態とすることができる。つまり、油圧シリンダ８を伸長させて閉鎖状態とすることによりケーシングの把持状態を選択し、油圧シリンダ８を圧縮させて開放状態とすることによりケーシングの非把持状態を選択することができる。
【００２３】
上述のように、第１端部４及び第２端部６が対向し略円形状を形成することにより、断面円形状のケーシングが地中に落下しないようにしっかりと把持することができる。ここで、第１端部４及び第２端部６が対向して形成する略円形状の直径は、ケーシングの直径より小さめにしておくと把持状態が確実なものとすることができる。
【００２４】
（杭抜き機）
次に、杭抜き機２０について図２を参照して説明する。図２は、本発明の実施例１における杭抜き機を説明する図である。
【００２５】
杭抜き機２０は、地面に対して略垂直に建てたリーダ２１に沿って上下可能な減速機２２を備えている。実施例１におけるリーダ２１の長さは２２ｍである。減速機２２の下端にφ６００、かつ１８ｍ長のケーシングＫを接続して、減速機２２を回転させながら下降させることでケーシングＫを地中に埋め込むことができる。ケーシングＫは複数の分割ケーシングＫＢを接続したものであり、最上部の分割ケーシングを最上部ケーシングＫＡと呼び、最下部の分割ケーシングを最下部ケーシング宇ＫＣと呼ぶ。
【００２６】
なお、実施例１においては、リーダ２１を２２ｍ長、ケーシングＫをφ６００かつ１８ｍ長としたが、必ずしもこれに限定されず適宜変更が可能である。例えば、リーダ２１を２３ｍ以上の長さ又は２１ｍ長以下として、２０ｍ以上又は１７ｍ以下のケーシングＫとしてもよい。また、φ６００以上、又はφ４５０程度のケーシングＫを用いてもよい。
【００２７】
最下部ケーシングＫＣの最下端には、地中を掘り進むための掘削刃２３を備えるとともに、掘削刃２３の上部に杭チャッキング機構２４を備えている。杭チャッキング機構２４は図示しない油圧シリンダにより開いた状態と閉じた状態を選択できる。図２（ａ）は、杭チャッキング機構２４が開いている状態を示し、図２（ｂ）は、杭チャッキング機構２４が閉じている状態を示している。杭チャッキング機構２４が閉じることで、既設杭Ｐの先端を把持又は係合でき、ケーシングＫを引抜くことで既設杭Ｐを引抜くことができる。
【００２８】
（杭抜き工法）
次に、ケーシング把持具１０を用いた中抜き工法と呼ばれる杭抜き工法について図３―図７を参照して説明する。図３は、本発明の実施例１における杭抜き工法を説明する第１の図である。図４は、発明の実施例１における杭抜き工法を説明する第２の図である。図５は、本発明の実施例１における杭抜き工法を説明する第３の図である。図６は、本発明の実施例１における杭抜き工法を説明する第４の図である。図７は、本発明の実施例１における杭抜き工法を説明する第５の図である。
【００２９】
まず、略円弧状の第１アーム１と、略円弧状の第２アーム２と、前記第１アームにおける略円弧の中心を向く側に設けられた第１アーム側把持部３と、前記第２アームにおける略円弧の中心を向く側に設けられた第２アーム側把持部５と、を備え、前記第１アーム側把持部の中心側の第１端部４、及び前記第２アーム側把持部の中心側の第２端部６は略円弧形状を有し、前記第１端部、及び前記第２端部を対向させて略円形状を形成することで、断面略円形状のケーシングを把持する把持状態と、前記第１端部、及び前記第２端部が対向せず略円形状を形成しない非把持状態と、を選択可能なことを特徴とするケーシング把持具１０を準備するケーシング把持具準備工程を実施する。このケーシング把持具１０は、途中まで地上に引き上げたケーシングＫが地中に落下しないように把持するものである。このケーシング把持具１０を用いることで、ケーシングＫとともに引き上げた既設杭Ｐを落下防止して安全に、かつ確実に引抜くことができる。
【００３０】
次に、図３（ａ）、（ｂ）に示すように、複数の分割ケーシングＫＢを継合し、かつ最下端に掘削刃２３を有するとともに、杭チャッキング機構２４を有した最下部ケーシングＫＣを含む円筒状のケーシングＫを既設杭Ｐの周囲に位置するようにケーシングＫを地中に埋め込むケーシング埋込み工程を実行する。この際、減速機２２が回転しながら最下部ケーシングＫＣの掘削刃２３で地面を掘削してケーシングＫを地中に向けて押し込む。
【００３１】
一度に埋め込めるケーシングＫの長さは１８ｍ程度なので、それより深く既設杭Ｐが埋め込まれている場合は、図３（ｃ）に示すように最上部ケーシングＫＡだけを切り離して上昇させ、図４（ｄ）、（ｅ）に示すように新たな分割ケーシングＫＢを最上部ケーシングＫＡの下に継ぎ足す。このときのケーシングＫは、埋込み途中でケーシングＫＣの下方に空間がないので、最上部ケーシングＫＡを切り離しても地中に落下することはない。そして、図４（ｆ）、図５（ｇ）に示すように継ぎ足した分割ケーシングＫＢを含めたケーシングＫを既設杭Ｐの周囲に位置するように地中に埋め込む。このときも減速機２２が回転しながら最下部ケーシングＫＣの掘削刃２３で地面を掘削してケーシングＫを地中に向けて押し込む。
【００３２】
最下部ケーシングＫＣの先端が既設杭Ｐの先端に到達すると、図５（ｈ）に示すように、杭チャッキング機構２４を閉じて、既設杭Ｐの先端に係合させる。そして、図５（ｉ）に示すように、最下部ケーシングＫＣの杭チャッキング機構２４が既設杭Ｐの先端に係合した状態でケーシングＫ全体を途中まで引抜くケーシング引抜き第１工程を実行する。ケーシングＫを引抜く長さは任意であるが、太い既設杭Ｐなら最大１０ｍが限界である。
【００３３】
そして、ケーシングＫを途中まで引抜いたら、引抜きを停止し、ケーシング落下防止工程を実行する。ケーシング落下防止工程は、ケーシング把持具１０の油圧シリンダ８を圧縮して第１アーム１及び第２アーム２について非把持状態を選択し地上に露出したケーシングＫの地上に近い部分を挟むように配置した後、油圧シリンダ８を伸長して第１アーム１及び第２アーム２について把持状態を選択して第１アーム側把持部３の第１端部４及び第２アーム側把持部５の第２端部６によりケーシングＫよりわずかに小さい直径の円形状が形成されることで断面略円形状のケーシングＫをしっかりと把持することにより行われ、これによりケーシングＫの地中への落下を防止することができる（図６（ｊ）参照）。
【００３４】
次に、図６（ｋ）に示すように、ケーシング把持具１０が把持した部分より上部の分割ケーシングＫＢを分離する分割ケーシング分離工程を実行する。分割ケーシング分離工程は、落下を防止されているケーシングＫの最上部ケーシングＫＡを切離し、さらにその下の分割ケーシングＫＢを切り離した後、ロープで吊りさげて切り離す。
【００３５】
そうすると、ケーシングＫとともに引き上げられている既設杭Ｐの頭部分が露出することになるので、ロープで吊下げて撤去する既設杭撤去工程を実行する。既設杭撤去工程において、既設杭Ｐが長い場合は、地上に露出している既設杭Ｐを適切な長さで切断して撤去すればよい。その際、図７（ｍ）に示すように、既設杭Ｐの切断場所より下を別のロープで吊下げ、地中への落下を防止する。
【００３６】
既設杭撤去工程が終わると、残りのケーシングＫを引抜く作業に移る。まず、最上部ケーシングＫＡを地上に出ている分割ケーシングＫＢの最上部に結合する（図７（ｎ）参照）。次に、減速機２２でケーシングＫを引っ張って落下を防止しながら、ケーシングＫを把持しているケーシング把持具１０について非把持状態を選択するケーシング把持具非把持工程を実行する（図７（ｏ）参照）。
【００３７】
次に、地中に埋設されている残りのケーシングＫを引抜くケーシング引抜き第２工程を実行する。もし、地中に既設杭Ｐが残っている場合は、ケーシングＫの引抜きに伴い、残りの既設杭Ｐも同時に引抜くことができる。残りの既設杭Ｐを引抜いた場合は、前述のように、分割ケーシングＫＢを順に切り離して、露出した既設杭Ｐをロープで吊下げて撤去する。
【００３８】
既設杭Ｐ及びケーシングＫが長い場合には、さらに前述のケーシング引抜き第１工程、ケーシング落下防止工程、分割ケーシング分離工程、既設杭引抜き工程、ケーシング把持具非把持工程、及びケーシング引抜き第２工程を再度実行する。
【００３９】
従来は、ケーシングＫを全部引抜いた後、既設杭Ｐを引抜いていたので、既設杭Ｐが途中で折れていると全ての既設杭Ｐを引抜くことができない。また、折れた既設杭ＰがケーシングＫに絡まったりすると、ケーシングＫを引抜く際に、過度なオーバーロードが杭抜き機２０にかかって杭抜き機２０のクレーンが転倒する事故がおきる恐れがあった。
【００４０】
これに対して、本発明のケーシング把持具１０を用いて、途中まで既設杭Ｐとともに引き上げたケーシングＫを地中に落下しないように把持することで、安全にまた確実に既設杭を引抜くことができる。
【００４１】
また、ケーシングＫ内に既設杭Ｐがなければ、棒状のカンザシ定規材をケーシングＫ側面の穴に貫通させて地中への落下を防止できるが、ケーシングＫ内に既設杭Ｐがある場合は、カンザシ定規材が既設杭ＰにあたりケーシングＫを貫通することができず地中への落下防止ができない。
【００４２】
これに対して、本発明のケーシング把持具１０を用いて、途中まで既設杭Ｐとともに引き上げたケーシングＫを地中に落下しないように把持することで、安全にまた確実に既設杭Ｐを引抜くことができる。
【００４３】
このように、実施例１においては、ケーシングを把持するケーシング把持具であって、
略円弧状の第１アームと、
略円弧状の第２アームと、
前記第１アームにおける略円弧の中心を向く側に設けられた第１アーム側把持部と、
前記第２アームにおける略円弧の中心を向く側に設けられた第２アーム側把持部と、を備え、
前記第１アーム側把持部の中心側の第１端部、及び前記第２アーム側把持部の中心側の第２端部は略円弧形状を有し、
前記第１端部、及び前記第２端部を対向させて略円形状を形成することで、断面略円形状のケーシングを把持する把持状態と、前記第１端部、及び前記第２端部が対向せず略円形状を形成しない非把持状態と、を選択可能なことを特徴とするケーシング把持具を用いることにより、既設杭を安全に、かつ確実に引抜くことができる。
【００４４】
また、地中に埋設された既設杭を引抜く杭抜き工法であって、
略円弧状の第１アームと、略円弧状の第２アームと、前記第１アームにおける略円弧の中心を向く側に設けられた第１アーム側把持部と、前記第２アームにおける略円弧の中心を向く側に設けられた第２アーム側把持部と、を備え、前記第１アーム側把持部の中心側の第１端部、及び前記第２アーム側把持部の中心側の第２端部は略円弧形状を有し、前記第１端部、及び前記第２端部を対向させて略円形状を形成することで、断面略円形状のケーシングを把持する把持状態と、前記第１端部、及び前記第２端部が対向せず略円形状を形成しない非把持状態と、を選択可能なことを特徴とするケーシング把持具を準備するケーシング把持具準備工程と、
複数の分割ケーシングを継合し、かつ最下端に掘削刃を有するとともに、杭チャッキング機構を有した円筒状のケーシングを前記既設杭の周囲に位置するように前記ケーシングを地中に埋め込むケーシング埋込み工程と、
前記チャッキング機構で既設杭の地中の先端部を把持して前記ケーシングを途中まで引抜くケーシング引抜き第１工程と、
前記ケーシング把持具の前記第１アーム及び前記第２アームについて前記非把持状態を選択し地上に露出した前記ケーシングを挟むように配置した後、前記第１アーム及び前記第２アームについて前記把持状態を選択して前記第１アーム側把持部及び前記第２アーム側把持部により前記ケーシングを把持して落下を防止するケーシング落下防止工程と、
前記ケーシング把持具が把持した部分より上部の前記分割ケーシングを分離する分割ケーシング分離工程と、
露出した既設杭を撤去する既設杭撤去工程と、を実行することを特徴とする杭抜き工法により、既設杭を安全に、かつ確実に引抜くことができる。
【産業上の利用可能性】
【００４５】
本発明におけるケーシング把持具、及び杭抜き工法は、既設杭の引抜き分野に広く用いることができる。
【符号の説明】
【００４６】
１：第１アーム    ２：第２アーム    
３：第１アーム側把持部    ４：第１端部    
５：第２アーム側把持部    ６：第２端部    
７：可動軸    ８：油圧シリンダ    
１０：ケーシング把持具    
２０：杭抜き機    ２１：リーダ    ２２：減速機    
２３：掘削刃    ２４：杭チャッキング機構    
Ｋ：ケーシング    ＫＡ：最上部ケーシング    ＫＢ：分割ケーシング    
ＫＣ：最下部ケーシング    
Ｐ：既設杭    
【要約】      （修正有）【課題】既設杭を安全に、かつ確実に引抜くことのできるケーシング把持具及び杭抜き工法を提供する。【解決手段】ケーシングを把持するケーシング把持具１０であって、略円弧状の第１アーム１と、略円弧状の第２アーム２と、前記第１アーム１における略円弧の中心を向く側に設けられた第１アーム側把持部３と、前記第２アーム２における略円弧の中心を向く側に設けられた第２アーム側把持部５と、を備え、前記第１アーム側把持部３の中心側の第１端部４、及び前記第２アーム側把持部５の中心側の第２端部６は略円弧形状を有し、前記第１端部４、及び前記第２端部６を対向させて略円形状を形成することで、断面略円形状のケーシングを把持する把持状態と、前記第１端部４、及び前記第２端部６が対向せず略円形状を形成しない非把持状態と、を選択可能とする。【選択図】図１【図１】
0006828935.tif 000002
【図２】
0006828935.tif 000003
【図３】
0006828935.tif 000004
【図４】
0006828935.tif 000005
【図５】
0006828935.tif 000006
【図６】
0006828935.tif 000007
【図７】
0006828935.tif 000008